(57)【要約】【課題】  国道や県道や市町道や高速道路等に適用可能で、且つ、一般ドライバーの安全性を高め、且つ、利用価値があり、皆に喜ばれる太陽光発電式照明灯付注意喚起標識を開発・提供する事にある。【解決手段】  既設標識と新設の太陽光発電式照明灯を組み合わせて成り、且つ、太陽光発電式照明灯を照らす事で暗い夜間でもドライバーに注意を喚起し、安全、且つ、正確に標識を目視可能にし、又、多目的標識と地方色点灯型太陽光発電式照明灯から成り、該多目的標識は、中央部に現在地、一方横部に目的地と区間距離数、他方横部に著名地を表示し、且つ、該地方色点灯型太陽光発電式照明灯は標識を設置する場所の地方色に合わせた蛍光色を点灯する事で、一般ドライバーに注意を喚起し、安全、且つ、正確に標識を目視可能にし、且つ、地域性や文化や歴史等の多目的情報を伝承可能にし、且つ、目的地までの走行距離読み取りと移動した標識間の走行距離を算出可能にした。【選択図】  図５
0003128027.tif 000002
【実用新案登録請求の範囲】
【請求項１】
国道、県道、市町道、高速道路等に設けられた既設の道路標識距離板に、照明灯を新設して、注意を喚起する標識であって、該標識は、現在設置されている既設標識（１）と、新たに設けた太陽光発電式照明灯（２）を組み合わせて成り、且つ、太陽光発電式照明灯（２）を照らす事で、暗い夜間でもドライバーに注意を喚起し、安全、且つ、正確に標識を目視可能にした事を特徴とする太陽光発電式照明灯付注意喚起標識。
【請求項２】
既設標識の支柱とパイプクランプを流用し、新たに多目的標識板本体と地方色点灯型太陽光発電式照明灯を新設するか、或いは、支柱を含めた新たな多目的標識板本体と地方色点灯型太陽光発電式照明灯を新設した標識であって、該標識は、現在地、目的地、区間距離数、著名地等を解り易く表示した多目的標識と、地方色等地域性を生かした蛍光色を有する地方色点灯型太陽光発電式照明灯から成り、該多目的標識（１１）は、中央部に現在地（ＰＰ）、一方横部に目的地（Ｄ）と区間距離数（ＳＤＮ）、他方横部に著名地（ＷＮＰ）を表示し、且つ、該地方色点灯型太陽光発電式照明灯（２２）は、標識を設置する場所の地方色に合わせた蛍光色を点灯する事で、一般ドライバーに注意を喚起し、安全、且つ、正確に標識を目視可能にし、且つ、その地域性や文化や歴史等の多目的情報を伝承可能にし、且つ、目的地までの走行距離を読み取り可能にし、或いは、移動した標識間の走行距離を算出可能にした事を特徴とする太陽光発電式照明灯付注意喚起標識。
【考案の詳細な説明】
【技術分野】
【０００１】
この考案は、太陽光発電式照明灯付注意喚起標識に関するものである。
【背景技術】
【０００２】
従来、国道や県道や市町道や高速道路等に設置された距離板といわれる標識は、道路管理者専用に利用されており、一般の道路利用者は気づかないどころか、標識の存在すら知らないという人が９０％以上を占めるというのが現状であり、折角１００ｍ間隔毎に設置され、多額の設備投資をしても有効利用されなければ、設置した意味がなく折角投資した経費が無駄になる。
【０００３】
従って、同じ多額の設備投資をして標識（距離板）を設置するのであれば、一般ドライバーに注意を喚起して安全性を高め、且つ、利用価値があり、皆に喜ばれる標識を設置する事が望まれている。
【０００４】
これまでに出願された太陽光発電式照明灯及び太陽光発電式照明灯を使用した装置の特許出願を参考の為、紹介する。（特許出願１〜４参照。）
【特許文献１】特開２００１−２４３８１７
【特許文献２】特開２００４−０４７１１９
【特許文献３】特開２００６−２１０３０４
【特許文献４】登録実用新案第３１０４２５６号
【考案の開示】
【考案が解決しようとする課題】
【０００５】
そこで、上記課題を解決する為に、この考案は国道や県道や市町道や高速道路等に適用可能で、且つ、一般ドライバーの安全性を高め、且つ、利用価値があり、皆に喜ばれる太陽光発電式照明灯付注意喚起標識を開発・提供する事にある。
【課題を解決するための手段】
【０００６】
この課題を解決する為の手段として、現在設置されている既設標識と、新たに設けた太陽光発電式照明灯を組み合わせて成り、且つ、太陽光発電式照明灯を照らす事で暗い夜間でもドライバーに注意を喚起し、安全、且つ、正確に標識を目視可能にしたものである。
【０００７】
又、現在地、目的地、区間距離数、著名地等を解り易く表示した多目的標識と、地方色等地域性を生かした蛍光色を有する地方色点灯型太陽光発電式照明灯から成り、該多目的標識は、中央部に現在地、一方横部に目的地と区間距離数、他方横部に著名地を表示し、且つ、該地方色点灯型太陽光発電式照明灯は標識を設置する場所の地方色に合わせた蛍光色を点灯する事で、一般ドライバーに注意を喚起し、安全、且つ、正確に標識を目視可能にし、且つ、その地域性や文化や歴史等の多目的情報を伝承可能にし、且つ、目的地までの走行距離を読み取り可能にし、或いは、移動した標識間の走行距離を算出可能にしたものである。
【考案の効果】
【０００８】
この考案の効果として、現在設置されている既設標識と、新たに設けた太陽光発電式照明灯を組み合わせて成り、且つ、太陽光発電式照明灯を照らす事で暗い夜間でもドライバーに注意を喚起し、安全、且つ、正確に標識を目視可能にしたものである。又、現在地、目的地、区間距離数、著名地等を解り易く表示した多目的標識と、地方色等地域性を生かした蛍光色を有する地方色点灯型太陽光発電式照明灯から成り、該多目的標識は、中央部に現在地、一方横部に目的地と区間距離数、他方横部に著名地を表示し、且つ、該地方色点灯型太陽光発電式照明灯は標識を設置する場所の地方色に合わせた蛍光色を点灯する事で、一般ドライバーに注意を喚起し、安全、且つ、正確に標識を目視可能にし、且つ、その地域性や文化や歴史等の多目的情報を伝承可能にし、且つ、目的地までの走行距離を読み取り可能にし、或いは、移動した標識間の走行距離を算出可能にした事で、国道や県道や市町道や高速道路等に適用可能で、且つ、一般ドライバーの安全性を高め、且つ、利用価値があり、皆に喜ばれ、地域活性化に役立つ等、極めて有益なる効果を奏するものである。
【考案を実施するための最良の形態】
【０００９】
この考案の最良の形態として、太陽光発電式照明灯は市販の物を使用しているが、出来るだけ高品質・高性能で安価で耐久性・耐候性・耐震性が良く、デザイン的にもシンプルで美観の良い物を使用し、且つ、標識板本体も軽量で作業性が良く、誰もが簡単に何処でも取り付け・取り外しが出来、しかも、壊れ難い頑丈な構造に形成する事が重要である。
【実施例１】
【００１０】
そこで、この考案の一実施例を図１〜図４に基づいて詳述すると、国道、県道、市町道、高速道路等に設けられた既設の道路標識距離板に、照明灯を設置して、注意を喚起する標識であって、該標識は現在設置されている既設標識（１）と、太陽光発電式照明灯（２）と、サポート（３）と、スペーサー（４）から成り、且つ、該サポート（３）は前面中央上端部に係止部材取付用ネジ付パイプ（３ｂ）を溶着し、下部中央左右二箇所に既設標識（１）のパイプクランプ（１ｃ）の係止用穴（１ｃ’）（１ｃ’）に適合する係止用穴（４ａ）（４ａ）を設けたほぼ矩形状の取付板（３ａ）を設け、且つ、該スペーサー（４）は既設標識（１）のパイプクランプ（１ｃ）の取付面及び係止用穴（１ｃ’）（１ｃ’）に適合した係止用穴（４ａ）（４ａ）を有する矩形状の板（４）を設け、且つ、取り付け使用時は、既設標識（１）の上部左右二箇所に設けた係止部材（１ｄ）を使用してサポート（３）の板（３ａ）部を標識板本体（１ａ）と支柱（１ｂ）間に挟設し、パイプクランプ（１ｃ）と重合し、係止部材（１ｄ）で固着して設け、且つ、既設標識（１）の下部左右二箇所に設けた係止部材（１ｄ）を使用してスペーサー（４）を標識板本体（１ａ）と支柱（１ｂ）間に挟設し、パイプクランプ（１ｃ）と重合し係止部材（１ｄ）で固着して設け、且つ、サポート（３）の中央上部に設けたパイプ（３ｂ）の取付穴部（３ｂ’）に太陽光発電式照明灯（２）の係止部（２ｄ）を嵌挿し、ボルト・ナット等の係止部材（Ｂ）で固着して設け、且つ、太陽光発電式照明灯（２）を照らす事で暗い夜間でもドライバーに注意を喚起し、安全、且つ、正確に標識を目視可能にした事を特徴とする太陽光発電式照明灯付注意喚起標識から構成される。
【００１１】
次に、この考案の実施例１の構造について説明すると、既設標識（１）に設置する太陽光発電式照明灯（２）は市販品を使用するが、主な構造は図１・図２に示す様に、カバー部（２ａ）とボディー部（２ｂ）と反射板部（２ｃ）と取付部（２ｄ）とコントローラー部（２ｅ）から成り、組立後、使用する時は、電源スィッチレバー（２ｅ’）をＯＮ側にして使用し、使用しない時はＯＦＦ側にする。
【００１２】
次に、サポート（３）について説明すると、前面中央上端部に太陽光発電式照明灯（２）の取付部（２ｄ）に適合する内径寸法を有するステンレス製の係止部材取付用ネジ（３ｃ）付パイプ（３ｂ）を溶着し、下部中央左右二箇所に既設標識（１）のパイプクランプ（１ｃ）の係止用穴（１ｃ’）（１ｃ’）に適合する係止用穴（３ａ’）（３ａ’）を設け、上部左右角部に適度な面取りを施した、ほぼ矩形状のステンレス製取付板（３ａ）で形成されたものである。
【００１３】
又、スペーサー（４）は、既設標識（１）のパイプクランプ（１ｃ）の取付面、及び、係止用穴（１ｃ’）（１ｃ’）に適合した係止用穴（４ａ）（４ａ）を有する矩形状のステンレス製板（４）で形成されたものである。
【００１４】
次に、この考案の取付方法について説明すると、図５（正面図）・図６（右側面図）・図７（裏面図）に示す様に、最初に既設標識の上下・左右に係止した係止部材（１ｄ）（１ｄ）（１ｄ）（１ｄ）を取り外し、サポート（３）の取付板（３ａ）部を標識板本体（１ａ）と支柱（１ｂ）間に挟設し、パイプクランプ（１ｃ）と重合し、係止部材（１ｄ）で左右を固着する。そして、次にスペーサー（４）を標識板本体（１ａ）と支柱（１ｂ）間に挟設し、パイプクランプ（１ｃ）と重合し係止部材（１ｄ）で左右を固着する。
【００１５】
最後にサポート（３）のパイプ（３ｂ）の取付穴部（３ｂ’）に太陽光発電式照明灯（２）の係止部（２ｄ）を嵌挿し、ボルト・ナット等の係止部材（Ｂ）で固着する。
【００１６】
そして、使用時は上記（００１１）で述べた様に、太陽光発電式照明灯（２）のコントローラー部（２ｅ）外周部に設けられた電源スィッチレバー（２ｅ’）をＯＮ側にして使用する。又、未使用時は無駄な電力消耗と機器破損防止の為、ＯＦＦ側に切り替えておく。
【実施例２】
【００１７】
その他の事例について説明すると、現在設置されている既設標識の標識板本体部を除去し、現在地、目的地、区間距離数、著名地等を解り易く表示した多目的標識板本体と地方色等地域性を生かした蛍光色を有する太陽光発電式照明灯を新設した標識であって、該標識は、多目的標識（１１）と、地方色点灯型太陽光発電式照明灯（２２）と、サポート（３）と、スペーサー（４）から成り、且つ、該多目的標識（１１）は、中央部に現在地（ＰＰ）、左横部に目的地（Ｄ）と区間距離数（ＳＤＮ）、右横部に著名地（ＷＮＰ）を表示し、且つ、該地方色点灯型太陽光発電式照明灯（２２）は標識を設置する場所の地方色に合わせた蛍光色を有する事で、一般ドライバーが標識を目視した際、その地域性や文化や歴史等を察知し、且つ、目的地までの走行距離を読み取り可能にし、且つ、該サポート（３）は前面中央上端部に係止部材取付用ネジ付パイプ（３ｂ）を溶着し、下部中央左右二箇所に既設標識のパイプクランプ（１ｃ）の係止用穴（１ｃ’）（１ｃ’）に適合する係止用穴（４ａ）（４ａ）を設けたほぼ矩形状の板（３ａ）を設け、且つ、該スペーサー（４）は既設標識（１）のパイプクランプ（１ｃ）の取付面及び係止用穴（１ｃ’）（１ｃ’）に適合した係止用穴（４ａ）（４ａ）を有する矩形状の板（４）を設け、且つ、取り付け使用時は、多目的標識（１１）の上部左右二箇所に設けた係止部材（１ｄ）を使用してサポート（３）の取付板（３ａ）部を多目的標識板本体（１１ａ）と支柱（１ｂ）間に挟設し、パイプクランプ（１ｃ）と重合し、係止部材（１ｄ）で固着して設け、且つ、既設標識（１）の下部左右二箇所に設けた係止部材（１ｄ）を使用してスペーサー（４）を多目的標識板本体（１１ａ）と支柱（１ｂ）間に挟設し、パイプクランプ（１ｃ）と重合し、係止部材（１ｄ）で固着して設け、且つ、サポート（３）の中央上部に設けたパイプ（３ｂ）穴部に、太陽光発電式照明灯（２）の係止部（２ｄ）を嵌挿し、ボルト・ナット等の係止部材（Ｂ）で固着して設け、且つ、太陽光発電式照明灯（２）を照らす事で暗い夜間でもドライバーに注意を喚起し、安全、且つ、正確に標識を目視可能にし、且つ、目的地（Ｄ）までの区間距離数（ＳＤＮ）や著名地（ＷＮＰ）を表示し、その地方の地域性や文化や歴史等の多目的情報をドライバーに伝承可能にした事を特徴とする太陽光発電式照明灯付注意喚起標識から構成される。
【００１８】
次に、この考案（実施例２）の実施例１との相違点は、多目的標識板本体（１１ａ）と地方色点灯型太陽光発電式照明灯（２２）の二点で、まず一点目の多目的標識板本体（１１ａ）は、図８に示す様に、中央部に現在地（ＰＰ）、左横部に目的地（Ｄ）と区間距離数（ＳＤＮ）、右横部に著名地（ＷＮＰ）を表示し、横長形状で左右両端部を図８（Ａ）、又は、図９（Ａ）に示す様に、くの字状に折り曲げて視界性・安全性を向上させている。例えば、現在地（ＰＰ）の広島市東雲町から目的地（Ｄ）である大阪吹田までの区間距離数（ＳＤＮ）は３３３ｋｍと表示してある為、当然ながら目的地（Ｄ）までの走行距離が確認出来、又、移動した地点での区間距離数（ＳＤＮ）をその都度記録しておいて、その距離を差し引けば移動した走行距離も算出出来る為、ドライバーにとっては非常に有益であり心強い。又、右横部に表示したその町や地域の著名地（ＷＮＰ）、例えば広島市の場合、広島平和公園や広島市民球場や広島城等の著名地（ＷＮＰ）を表示しておけば、ドライバーがその標識を見て、広島がどんな町か創造出来、又、その町の活性化にも繋がる。次に、二点目の地方色点灯型太陽光発電式照明灯（２２）は基本的には実施例１と同じものであるが、相違点は照明灯のボディー部にその地方のカラーを着色したもので、例えば、広島の場合、広島東洋カープの赤色や、サンフレッチェの紫色等を使用して、その地方色をアピールすれば、宣伝にもなり、その地方の活性化にも繋がる。
【００１９】
又、取付方法、及び、使用方法は実施例１と同様である。
【００２０】
又、図９（Ａ）は多目的標識の平面図で、（Ｂ）は裏面図である。
【産業上の利用可能性】
【００２１】
この考案の太陽光発電式照明灯付注意喚起標識は、国道や県道や市町道や高速道路等に適用可能で、且つ、一般ドライバーの安全性を高め、且つ、利用価値があり、皆に喜ばれる為、道路工事関係市場に寄与する点で産業上の利用可能性を有する。
【図面の簡単な説明】
【００２２】
【図１】この考案の一実施例を示し、（Ａ）は太陽光発電式照明灯の平面図で、（Ｂ）は正面図      である。
【図２】この考案の一実施例を示し、太陽光発電式照明灯の一部欠截拡大正面図である。
【図３】この考案の一実施例を示し、（Ａ）はサポートの平面図で、（Ｂ）は正面図で、（Ｃ）は一部欠截右側面図である。
【図４】この考案の一実施例を示し、（Ａ）はスペーサーの平面図で、（Ｂ）は正面図である。
【図５】この考案の使用例を示し、正面図である。
【図６】この考案の使用例を示し、右側面図である。
【図７】この考案の使用例を示し、背面図である。
【図８】この考案のその他の使用例を示し、（Ａ）は多目的標識の平面図で、（Ｂ）は正面図である。
【図９】この考案のその他の使用例を示し、（Ａ）は多目的標識の平面図で、（Ｂ）は背面図である。
【符号の説明】
【００２３】
１  既設標識
１ａ  標識板本体
１ｂ  支柱
１ｃ  パイプクランプ
１ｃ’  係止用穴
１ｄ  係止部材
２  太陽光発電式照明灯
２ａ  カバー部
２ｂ  ボディー部
２ｃ  反射板部
２ｄ  取付部
２ｅ  コントローラー部
２ｅ’  電源スィッチレバー
３  サポート
３ａ  取付板
３ａ’  係止用穴
３ｂ  パイプ
３ｂ’  取付穴部
３ｃ  係止部材取付用ネジ
４  スペーサー
４ａ  係止用穴
１１  多目的標識
１１ａ  多目的標識板本体
２２  地方色点灯型太陽光発電式照明灯
Ｂ  係止部材
Ｄ  目的地
ＰＰ  現在地
ＳＤＮ  区間距離数
ＷＮＰ  著名地
【図１】
0003128027.tif 000003
【図２】
0003128027.tif 000004
【図３】
0003128027.tif 000005
【図４】
0003128027.tif 000006
【図５】
0003128027.tif 000007
【図６】
0003128027.tif 000008
【図７】
0003128027.tif 000009
【図８】
0003128027.tif 000010
【図９】
0003128027.tif 000011